(57)【要約】【課題】張り車の綱溝において固まった状態で付着した潤滑油を確実に除去することができる調速機ロープ用張り車の清掃治具を提供する。【解決手段】調速機ロープ用張り車の清掃治具は、エレベータに設けられた調速機ロープの下部の湾曲部が巻き掛けられている綱溝を有した外周面を有した張り車に対して前記綱溝の幅と深さとに合わせて形成された先端部を有し、前記張り車の上方において前記先端部を前記綱溝に収めた清掃体、を備えた。【選択図】図３
2015168525.tif 000002
【特許請求の範囲】
【請求項１】
エレベータに設けられた調速機ロープの下部の湾曲部が巻き掛けられている綱溝を有した外周面を有した張り車に対して前記綱溝の幅と深さとに合わせて形成された先端部を有し、前記張り車の上方において前記先端部を前記綱溝に収めた清掃体、
を備えた調速機ロープ用張り車の清掃治具。
【請求項２】
前記清掃体は、棒状の金属で形成された請求項１に記載の調速機ロープ用張り車の清掃治具。
【請求項３】
前記清掃体は、前記綱溝の幅として設定された値よりも大きい値に設定された円弧状の凹部を有し、前記張り車の側面の側から見た際に前記張り車の上方において前記綱溝の長手方向に沿って前記綱溝の面に前記凹部の円弧状の面を対向させた請求項１に記載の調速機ロープ用張り車の清掃治具。
【請求項４】
前記張り車の側面が前記エレベータの昇降路の側壁に対向している際に前記昇降路の中央の側から前記張り車を覆ったカバーの上部から前記昇降路の側壁に向かって突き出して前記張り車の上部を覆った遮蔽体を前記昇降路の中央の側から前記昇降路の側壁の側に向けて受け入れる開口部を有した本体と、
前記本体の上部にねじ込まれ、前記本体の開口部が前記遮蔽体を受け入れた際に前記本体の下部の方向にねじ込まれることにより前記本体の下部とともに前記遮蔽体を挟み込む固定体と、
を備え、
前記清掃体は、前記本体の下部に固定され、前記固定体が前記本体の下部とともに前記遮蔽体を挟み込んだ際に前記張り車の上方において前記先端部を前記綱溝に収める請求項１から請求項３のいずれか一項に記載の調速機ロープ用張り車の清掃治具。
【請求項５】
前記清掃体は、鉛直方向の位置を調整し得るように設けられた請求項４に記載の調速機ロープ用張り車の清掃治具。
【請求項６】
前記本体よりも前記昇降路の側壁の側に設けられ、前記昇降路の中央の側から見た際に前記清掃体の前記先端部が前記綱溝に収まっている位置を映す鏡、
を備え、
前記本体は、前記昇降路の中央の側から見た際に前記清掃体の前記先端部が前記綱溝に収まっている位置を前記鏡により確認し得るように形成されたのぞき穴を有した請求項４または請求項５に記載の調速機ロープ用張り車の清掃治具。
【発明の詳細な説明】
【技術分野】
【０００１】
この発明は、調速機ロープ用張り車の清掃治具に関する。
【背景技術】
【０００２】
例えば、特許文献１には、エレベータが記載されている。当該エレベータにおいて、調速機ロープの上部の湾曲部は、調速機の綱溝に巻き掛けられる。調速機ロープの下部の湾曲部は、張り車の綱溝に巻き掛けられる。調速機ロープの外周面は、潤滑油により保護される。当該潤滑油は、気温が低い冬季等において固まった状態で張り車の綱溝の面に付着する。固まった潤滑油は、清掃治具のピンと接触することにより綱溝の面から除去される。
【先行技術文献】
【特許文献】
【０００３】
【特許文献１】特開２００４−３２３２１７号公報
【発明の概要】
【発明が解決しようとする課題】
【０００４】
しかしながら、特許文献１に記載のものにおいて、ピンの外径の値は、張り車の綱溝の幅の値に対して大幅に小さい値に設定される。このため、固まった潤滑油は、張り車の綱溝の両側に残り得る。
【０００５】
この発明は、上述の課題を解決するためになされた。この発明の目的は、張り車の綱溝において固まった状態で付着した潤滑油を確実に除去することができる調速機ロープ用張り車の清掃治具を提供することである。
【課題を解決するための手段】
【０００６】
この発明に係る調速機ロープ用張り車の清掃治具は、エレベータに設けられた調速機ロープの下部の湾曲部が巻き掛けられている綱溝を有した外周面を有した張り車に対して前記綱溝の幅と深さとに合わせて形成された先端部を有し、前記張り車の上方において前記先端部を前記綱溝に収めた清掃体、を備えた。
【発明の効果】
【０００７】
この発明によれば、清掃体の先端部は、張り車の綱溝の幅と深さとに合わせて形成される。この場合、清掃体の先端部は、張り車の綱溝において固まった状態で付着した潤滑油のほぼ全体と接触する。このため、張り車の綱溝において固まった状態で付着した潤滑油を確実に除去することができる。
【図面の簡単な説明】
【０００８】
【図１】この発明の実施の形態１における調速機ロープ用張り車の清掃治具が利用される張り車を備えたエレベータの構成図である。
【図２】この発明の実施の形態１における調速機ロープ用張り車の清掃治具が利用される張り車のカバーの正面図である。
【図３】この発明の実施の形態１における調速機ロープ用張り車の清掃治具が利用される張り車の側面図である。
【図４】この発明の実施の形態１における調速機ロープ用張り車の清掃治具の正面図である。
【図５】この発明の実施の形態２における調速機ロープ用張り車の清掃治具の正面図である。
【図６】この発明の実施の形態２における調速機ロープ用張り車の清掃治具が利用される張り車の側面図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１はこの発明の実施の形態１における調速機ロープ用張り車の清掃治具が利用される張り車を備えたエレベータの構成図である。
【００１１】
図１において、エレベータの昇降路１は、マンション等の建築物の各階を貫く。例えば、機械室２は、昇降路１の上部に設けられる。例えば、巻上機３は、機械室２に設けられる。巻上機３の外周面は、綱溝を有する。例えば、そらせ車４は、機械室２に設けられる。そらせ車４は、巻上機３に隣接する。そらせ車４は、回転自在に設けられる。そらせ車４の外周面は、綱溝を有する。
【００１２】
巻上ロープ５の上部は、巻上機３とそらせ車４とに巻き掛けられる。かご６は、昇降路１の内部に設けられる。かご６は、巻上ロープ５の一端に吊るされる。つり合いおもり７は、昇降路１の内部に設けられる。つり合いおもり７は、巻上ロープ５の他端に吊るされる。
【００１３】
例えば、調速機８は、機械室２に設けられる。調速機８は、滑車を有する。当該滑車は、回転自在に設けられる。当該滑車の外周面は、綱溝を有する。張り車９は、昇降路１の底部に設けられる。張り車９は、昇降路１の側壁に隣接する。張り車９の一側面は、昇降路１の側壁に対向する。張り車９は、回転自在に設けられる。張り車９の外周面は、綱溝を有する。
【００１４】
調速機ロープ１０は、無端状に形成される。調速機ロープ１０の上部の湾曲部は、調速機８の滑車の綱溝に巻き掛けられる。調速機ロープ１０の下部の湾曲部は、張り車９の綱溝に巻き掛けられる。調速機ロープ１０の外周面は、潤滑油により保護される。カバー１１は、昇降路１の中央の側から張り車９を覆う。
【００１５】
非常止め装置１２は、かご６の下部に設けられる。アーム１３は、調速機ロープ１０と非常止め装置１２とに接続される。
【００１６】
例えば、制御装置１４は、機械室２に設けられる。制御装置１４の出力部は、巻上機３の入力部に接続される。
【００１７】
制御装置１４は、巻上機３に向けて回転指令を出力する。巻上機３は、制御装置１４からの回転指令に基づいて回転する。巻上ロープ５は、巻上機３の回転に追従して移動する。かご６とつり合いおもり７とは、巻上ロープ５の移動に追従して互いに反対方向に昇降する。
【００１８】
アーム１３は、かご６の昇降に追従して昇降する。調速機ロープ１０は、アーム１３の昇降に追従して移動する。調速機８の滑車と張り車９とは、調速機ロープ１０の移動に追従して回転する。
【００１９】
かご６が予め設定された速度よりも速い速度で下降した際、調速機８は、調速機ロープ１０を制動する。この際、アーム１３は、非常止め装置１２を引き上げる。その結果、非常止め装置１２は、かご６の下降を制動する。
【００２０】
次に、図２を用いて、カバー１１を説明する。
図２はこの発明の実施の形態１における調速機ロープ用張り車の清掃治具が利用される張り車のカバーの正面図である。
【００２１】
図２に示すように、カバー１１は、本体１１ａ、第１遮蔽体１１ｂ、第２遮蔽体１１ｃ、第３遮蔽体１１ｄ、第４遮蔽体１１ｅを備える。
【００２２】
本体１１ａは、昇降路１の中央の側から張り車９の他側面の全体を覆う。第１遮蔽体１１ｂは、本体１１ａの下部に形成される。第１遮蔽体１１ｂは、本体１１ａの下部から昇降路１の側壁に向かって突き出す。第１遮蔽体１１ｂは、張り車９の外周面の下部を下側から覆う。第２遮蔽体１１ｃは、本体１１ａの一側部に形成される。第２遮蔽体１１ｃは、本体１１ａの一側部から昇降路１の側壁に向かって突き出す。第２遮蔽体１１ｃは、張り車９の外周面の一側部を一側から覆う。第３遮蔽体１１ｄは、本体１１ａの他側部に形成される。第３遮蔽体１１ｄは、本体１１ａの他側部から昇降路１の側壁に向かって突き出す。第３遮蔽体１１ｄは、張り車９の外周面の他側部を他側から覆う。第４遮蔽体１１ｅは、本体１１ａの上部に形成される。第４遮蔽体１１ｅは、本体１１ａの上部から昇降路１の側壁に向かって突き出す。第４遮蔽体１１ｅは、張り車９の外周面の上部を上側から覆う。
【００２３】
カバー１１において、清掃治具１５は、第４遮蔽体１１ｅに固定される。清掃治具１５は、固まった状態で張り車９の綱溝の面に付着した潤滑油を張り車９の上方において除去する。
【００２４】
次に、図３を用いて、清掃治具１５を説明する。
図３はこの発明の実施の形態１における調速機ロープ用張り車の清掃治具が利用される張り車の側面図である。
【００２５】
図３に示すように、清掃治具１５は、本体１５ａ、固定体１５ｂ、清掃体１５ｃを備える。
【００２６】
例えば、本体１５ａは、金属で形成される。本体１５ａは、開口部を備える。当該開口部は、昇降路１の中央の側に向けて開口する。当該開口部は、昇降路１の中央の側から昇降路１の側壁の側に向けて第４遮蔽体１１ｅを受け入れる。
【００２７】
例えば、固定体１５ｂは、蝶ねじからなる。固定体１５ｂは、本体１５ａの上部にねじ込まれる。固定体１５ｂは、本体１５ａの開口部が第４遮蔽体１１ｅを受け入れた際に本体１５ａの下部の方向にねじ込まれる。固定体１５ｂの先端部は、本体１５ａの下部とともに第４遮蔽体１１ｅを挟み込む。
【００２８】
例えば、清掃体１５ｃは、棒状に形成される。例えば、清掃体１５ｃは、金属で形成される。清掃体１５ｃは、本体１５ａの下部に固定される。清掃体１５ｃは、本体１５ａの下部から下方に突き出す。清掃体１５ｃの先端部は、張り車９の綱溝の幅と深さとに合わせて形成される。清掃体１５ｃの先端部は、固定体１５ｂの先端部が本体１５ａの下部とともに第４遮蔽体１１ｅを挟み込んだ際に張り車９の上方において張り車９の綱溝に収まる。
【００２９】
潤滑油は、気温が低い冬季等において固まった状態で張り車９の綱溝の面に付着する。固まった潤滑油の厚みが張り車９の綱溝と清掃体１５ｃの先端部との間の距離よりも厚くなった際、固まった潤滑油は、清掃体１５ｃの先端部に接触する。固まった潤滑油は、清掃体１５ｃの先端部との接触における衝撃により張り車９の綱溝の面から除去される。
【００３０】
次に、図４を用いて、固定体１５ｂと清掃体１５ｃとの位置関係を説明する。
図４はこの発明の実施の形態１における調速機ロープ用張り車の清掃治具の正面図である。
【００３１】
図４に示すように、清掃治具１５は、一対の固定体１５ｂを備える。固定体１５ｂの一方は、本体１５ａの上部の一側にねじ込まれる。固定体１５ｂの他方は、本体１５ａの上部の他側にねじ込まれる。清掃体１５ｃは、本体１５ａの下部の中央に設けられる。清掃体１５ｃは、水平方向において一対の固定体１５ｂの間に設けられる。
【００３２】
張り車９が一方向に回転した際、固まった潤滑油は、固定体１５ｂの一方の側から清掃体１５ｃの先端部に接触する。この際、清掃体１５ｃの先端部は、固定体１５ｂの他方の側への力を受ける。その結果、本体１５ａは、張り車９の回転方向とは反対方向に回転する力を受ける。この際、固定体１５ｂの一方の先端部と本体１５ａの下部の他側とは、本体１５ａを回転させる力に抗する。その結果、本体１５ａの回転は抑制される。
【００３３】
張り車９が他方向に回転した際、固まった潤滑油は、固定体１５ｂの他方の側から清掃体１５ｃの先端部に接触する。この際、清掃体１５ｃの先端部は、固定体１５ｂの一方の側への力を受ける。その結果、本体１５ａは、張り車９の回転方向とは反対方向に回転する力を受ける。この際、固定体１５ｂの他方の先端部と本体１５ａの下部の一側とは、本体１５ａを回転させる力に抗する。その結果、本体１５ａの回転は抑制される。
【００３４】
以上で説明した実施の形態１によれば、清掃体１５ｃの先端部は、張り車９の綱溝の幅と深さとに合わせて形成される。この場合、清掃体１５ｃの先端部は、張り車９の綱溝において固まった状態で付着した潤滑油のほぼ全体と接触する。このため、張り車９の綱溝において固まった状態で付着した潤滑油を確実に除去することができる。その結果、固まった潤滑油が張り車９の綱溝の面において山状に固まることを防止できる。このため、調速機ロープ１０が揺れることによる異常音の発生等を防止できる。
【００３５】
また、清掃体１５ｃは、棒状に形成される。このため、清掃治具１５を容易に製作することができる。さらに、清掃体１５ｃは、金属で形成される。このため、清掃体１５ｃが固まった潤滑油と接触した際に清掃体１５ｃが折れることを防止できる。固まった潤滑油が非常に固い場合でも清掃体１５ｃが折れることを防止できる。
【００３６】
また、清掃体１５ｃの先端部は、固定体１５ｂが本体１５ａの下部とともに第４遮蔽体１１ｅを挟み込んだ際に張り車９の上方において張り車９の綱溝に収まる。このため、カバー１１に対し、清掃治具１５を容易に取り付けることができる。
【００３７】
実施の形態２．
図５はこの発明の実施の形態２における調速機ロープ用張り車の清掃治具の正面図である。なお、実施の形態１の部分と同一または相当部分には同一符号が付される。当該部分の説明は省略される。
【００３８】
実施の形態２の清掃治具１５は、実施の形態１の清掃治具１５に支持体１５ｄと鏡１５ｅと一対のナット１５ｆと一対の調整ねじ１５ｇとを付加したものである。実施の形態２の本体１５ａは、実施の形態１の本体１５ａと異なる。実施の形態２の清掃体１５ｃは、実施の形態１の清掃体１５ｃと異なる。
【００３９】
例えば、支持体１５ｄは、金属で形成される。支持体１５ｄは、鉛直片、水平片を備える。鉛直片は、本体１５ａよりも昇降路１の側壁の側に設けられる。水平片は、鉛直片の下部に連結される。水平片は、本体１５ａの下方においいて鉛直片から昇降路１の中央の側に向かって突き出す。鏡１５ｅは、支持体１５ｄよりも昇降路１の側壁の側に設けられる。鏡１５ｅの反射面は、昇降路１の中央の側に向く。一対のナット１５ｆは、本体１５ａの両側において支持体１５ｄと鏡１５ｅとの間に設けられる。例えば、一対の調整ねじ１５ｇは、蝶ねじで形成される。一対の調整ねじ１５ｇは、昇降路１の中央の側から本体１５ａと支持体１５ｄの鉛直片とを貫通する。一対の調整ねじ１５ｇの先端部は、対応したナット１５ｆにねじ込まれる。
【００４０】
本体１５ａは、一対の長穴１６ａとのぞき穴１６ｂとを有する。一対の長穴１６ａは、本体１５ａの両側に形成される。一対の長穴１６ａは、鉛直方向を長手として形成される。一対の長穴１６ａは、対応した調整ねじ１５ｇを受け入れる。のぞき穴１６ｂは、本体１５ａの中央に形成される。例えば、のぞき穴１６ｂは、矩形状に形成される。のぞき穴１６ｂは、昇降路１の中央の側から見た際に清掃体１５ｃの先端が綱溝に収まっている位置が鏡１５ｅで見える位置に形成される。
【００４１】
清掃体１５ｃは、円弧状の凹部を有する。当該凹部の円弧の寸法は、張り車９の綱溝の幅として設定された値よりも大きい値に設定される。当該凹部の円弧状の面は、張り車９の側面の側から見た際に張り車９の上方において張り車９の綱溝の長手方向に沿って張り車９の綱溝の面に対向する。
【００４２】
清掃体１５ｃは、鉛直方向の位置を調整し得るように設けられる。具体的には、清掃体１５ｃの鉛直方向の位置は、一対の調整ねじ１５ｇが本体１５ａの長穴１６ａに沿って移動されることにより調整される。
【００４３】
次に、図６を用いて、固まった潤滑油の除去の確認方法を説明する。
図６はこの発明の実施の形態２における調速機ロープ用張り車の清掃治具が利用される張り車の側面図である。
【００４４】
図６に示すように、作業者は、昇降路１の中央の側から斜め下方に向かって鏡１５ｅを見る。具体的には、作業者は、Ａの方向からのぞき穴１６ｂをのぞく。この際、鏡１５ｅは、清掃体１５ｃの先端部が綱溝に収まっている位置を映す。作業者は、当該位置の状態を見ることにより潤滑油の除去を確認する。
【００４５】
以上で説明した実施の形態２によれば、清掃体１５ｃの凹部において、円弧の寸法は、張り車９の綱溝の幅として設定された値よりも大きい値に設定される。この場合、清掃体１５ｃは、固まった潤滑油から受ける力の方向に対して厚くなる。このため、張り車９の綱溝において固まった状態で付着した潤滑油をより確実に除去することができる。
【００４６】
また、清掃体１５ｃは、鉛直方向の位置を調整し得るように設けられる。このため、張り車９の綱溝に対して清掃体１５ｃを適切な位置に容易に配置することができる。
【００４７】
また、鏡１５ｅは、清掃体１５ｃの先端部が張り車９の綱溝に収まっている位置を映す。このため、張り車９が昇降路１の側壁に隣接する場合でも。作業者は、固まった潤滑油の除去を確認することができる。
【００４８】
なお、機械室２のないエレベータに対し、清掃治具１５を適用してもよい。この場合も、張り車９の綱溝において固まった状態で付着した潤滑油を確実に除去することができる。
【符号の説明】
【００４９】
１  昇降路、  ２  機械室、  ３  巻上機、  ４  そらせ車、  ５  巻上ロープ、  ６  かご、  ７  つり合いおもり、  ８  調速機、  ９  張り車、  １０  調速機ロープ、  １１  カバー、  １１ａ  本体、  １１ｂ  第１遮蔽体、  １１ｃ  第２遮蔽体、  １１ｄ  第３遮蔽体、  １１ｅ  第４遮蔽体、  １２  非常止め装置、  １３  アーム、  １４  制御装置、  １５  清掃治具、  １５ａ  本体、  １５ｂ  固定体、  １５ｃ  清掃体、  １５ｄ  支持体、  １５ｅ  鏡、  １５ｆ  ナット、  １５ｇ  調整ねじ、  １６ａ  長穴、  １６ｂ  のぞき穴
【図１】
2015168525.tif 000003
【図２】
2015168525.tif 000004
【図３】
2015168525.tif 000005
【図４】
2015168525.tif 000006
【図５】
2015168525.tif 000007
【図６】
2015168525.tif 000008